(57)【要約】【課題】光源からの発熱量が少なく、省エネルギーで、且つ光源の交換頻度を少なく抑えた葬儀葬祭用照明具及びこれに用いられる光源を提供する。【解決手段】本発明に係る葬儀葬祭用照明具は、基台と、前記基台の上に立設された、光を拡散させる柱状の光拡散部、及び、その基部に設けられた、光の色と強度の少なくとも一方が自動的に変化するＬＥＤ光源から成る柱状発光部と、を有することを特徴とする。この葬儀葬祭用照明具では、従来の白熱電球に比べて光源の発熱量が小さく、省エネルギーであり、寿命も長い。また、光は、光拡散部を通して間接的に放射されるため、ぼんやりとした穏やかなものとなり、蝋燭の火のような自然な雰囲気を出すことができる。更に、光の色又は強度（或いは双方）が自動的に変化するため、蝋燭の火の揺らめきを表現することや、蝋燭の火では出すことのできない幽玄な光の変化を出すことが可能となる。【選択図】図２
2014057661.tif 000002
【特許請求の範囲】
【請求項１】
基台と、
前記基台の上に立設された、光を拡散させる柱状の光拡散部と、その基部に設けられた、光の色と強度の少なくとも一方が自動的に変化するＬＥＤ（Light Emitting Diode）光源とから成る柱状発光部と、
を有することを特徴とする葬儀葬祭用照明具。
【請求項２】
前記光拡散部が、半透明のロッドであることを特徴とする請求項１に記載の葬儀葬祭用照明具。
【請求項３】
前記光拡散部が、切り込みが設けられた透明又は半透明のロッドであることを特徴とする請求項１に記載の葬儀葬祭用照明具。
【請求項４】
前記光拡散部が、光拡散部本体と、その内部に埋め込んだ該光拡散部本体とは屈折率又は透明度が異なる部材と、を有することを特徴とする請求項１に記載の葬儀葬祭用照明具。
【請求項５】
前記光拡散部が、金属片が混入された透明又は半透明のロッドであることを特徴とする請求項４に記載の葬儀葬祭用照明具。
【請求項６】
前記光拡散部が、透明のロッドと、その内部に設けられた該ロッドとは異なる屈折率を持つ透明の導光チューブであることを特徴とする請求項４に記載の葬儀葬祭用照明具。
【請求項７】
前記光拡散部が、半透明のロッドと、その内部に設けられた該ロッドとは異なる透明度を持つ半透明の導光チューブであることを特徴とする請求項４に記載の葬儀葬祭用照明具。
【請求項８】
前記光拡散部の背面に、屏風状に折曲して立設される反射板を有することを特徴とする請求項１〜７のいずれかに記載の葬儀葬祭用照明具。
【請求項９】
前記ＬＥＤ光源が発する光の色又は強度の変化の周期が平均的に10〜20回/分であることを特徴とする請求項１〜８のいずれかに記載の葬儀葬祭用照明具。
【発明の詳細な説明】
【技術分野】
【０００１】
本発明は、葬儀葬祭で用いられる法要灯等の照明具に関する。
【背景技術】
【０００２】
仏教では、故人が亡くなってから四十九日目（中陰法要、忌明）に至るまで、七日毎に追善供養を行う。その際、仏壇の左右に法要灯等の灯りを立てることが行われる。
【０００３】
従来、葬儀葬祭で用いられる法要灯等の灯りの光源には、蝋燭が用いられていた。しかし、火災の危険性があることから、近年では、蝋燭の代わりに電球が用いられることが多い。その一方で、電球では、蝋燭の火のような自然な光の変化（揺らめき）を表現することが難しい。そこで、例えば特許文献１のような葬儀葬祭用の照明具が提供されている。
【０００４】
特許文献１の葬儀葬祭用照明具は、白熱電球を備える基台と、前記基台に起立保持された泡柱とを有するものである。この泡柱は透明管と、その中に封入された低沸点の透明な液体から成る。この葬儀葬祭用照明具では、白熱電球を点灯すると、該白熱電球から発生する熱が基台を通して泡柱に伝わる。この熱によって泡柱内部の液体の温度が沸点以上になり、液体中に気泡が発生し、透明管内部を上昇していく。この気泡の上昇過程での揺らぎにより、下方の白熱電球からの光が蝋燭の火のように揺らめいて変化する。
【先行技術文献】
【特許文献】
【０００５】
【特許文献１】実案平1-117003号公報
【発明の概要】
【発明が解決しようとする課題】
【０００６】
葬儀後は前記のとおり七日毎に追善法要が行われ、祭壇が設けられるが、法要灯等の照明具は七日毎に限らず、中陰法要の四十九日までずっと点灯され続けることが多い。また葬祭においてはお盆等の一定期間に亘って飾られる。従来、葬儀葬祭用照明具には、泡柱を用いるものばかりでなく、一般に白熱電球が使用されていたが、この白熱電球も長時間点灯され続けることになる。
【０００７】
しかしながら、こうすると、白熱電球の近隣に位置する構成部材は長時間にわたり白熱電球からの熱を受ける。この白熱電球からの熱による色褪せ等の劣化を防ぐために、前記構成部材は耐熱性を有する素材で作製する必要がある。さらに、白熱電球は長時間点灯することによって電力を多量に消費する上に、一般的に寿命が短いので頻繁に交換しなければならないという問題もある。
【０００８】
本発明が解決しようとする課題は、光源の発熱量が小さく、省エネルギーで、且つ光源の交換頻度を少なく抑えることができる葬儀葬祭用照明具を提供することにある。
【課題を解決するための手段】
【０００９】
上記課題を解決するために成された本発明に係る葬儀葬祭用照明具は、
基台と、
前記基台の上に立設された、光を拡散させる柱状の光拡散部と、その基部に設けられた、光の色と強度の少なくとも一方が自動的に変化するＬＥＤ（Light Emitting Diode）光源とから成る柱状発光部と、
を有することを特徴とする。
【００１０】
本発明に係る葬儀葬祭用照明具では、ＬＥＤ光源を採用したことにより、従来の白熱電球に比べて光源の発熱量が小さく、省エネルギーであり、寿命も長い。また、ＬＥＤ光源が発する光は、光拡散部を通して間接的に周囲に放射されるため、ぼんやりとした穏やかなものとなり、蝋燭の火のような自然な雰囲気を出すことができる。更に、このＬＥＤ光源は、その発光色又は強度（或いは双方）が自動的に変化するため、蝋燭の火の揺らめきを表現することや、蝋燭の火では出すことのできない幽玄な光の変化を出すことが可能となる。
【００１１】
前記ＬＥＤ光源が発する光の色又は強度の変化は、周期的であってもよいし、ランダムであってもよい。周期的である場合、その周期は10〜20回/分であるとよい。この周期は平常時における人の呼吸周期とほぼ等しく、これに合わせることにより、光拡散部を通じて放射される光の色又は強度の変化がゆったりとした印象のものとなり、見る人に安心感を与える。変化がランダムである場合も、変化の速さは平均的にはその程度とすることが望ましい。
【００１２】
前記光拡散部には、例えば、アクリル樹脂等から成る半透明のロッドを用いることができる。また、透明又は半透明のロッドに切り込みを入れ、そこで光を屈折させるようにしても良い。
前記光拡散部はまた、光拡散部本体と、その内部に埋め込んだ該光拡散部本体とは屈折率又は透明度が異なる部材と、を有するものであっても良い。このような光拡散部として、例えば、多数の金属片が混入された透明又は半透明のロッドを用いることができる。また、透明のロッド内にそれとは異なる屈折率を持つ透明の導光チューブを有するものや、半透明のロッド内にそれとは異なる透明度を持つ半透明の導光チューブを有するものを用いることもできる。
更に、前記切り込みや前記導光チューブによって所定の模様を形成することにより、光拡散部から放射される光に高い装飾効果を持たせることもできる。
【００１３】
本発明に係る葬儀葬祭用照明具は、前記光拡散部の背面に、屏風状に折曲して立設される反射板を有することが望ましい。これにより、正面からは、光拡散部が実際の本数より多く見えると共に、放射される光がより複雑且つ幻想的になる。
【発明の効果】
【００１４】
本発明に係る葬儀葬祭用照明具にて採用されるＬＥＤ光源は、白熱電球に比べて一般的に消費電力が少なく、寿命も長い。従って、省エネルギーであるとともに光源の交換頻度を低減した葬儀葬祭用照明具を実現することができる。また、ＬＥＤ光源が発する光は、光拡散部を通して間接的に周囲に放射されるため、ぼんやりとした穏やかなものとなり、蝋燭の火のような自然な雰囲気を出すことができる。更に、このＬＥＤ光源は、光の色又は強度（或いは双方）が自動的に変化するため、蝋燭の火の揺らめきを表現することや、蝋燭の火では出すことのできない幽玄な光の変化を出すことが可能となる。
【図面の簡単な説明】
【００１５】
【図１】本発明に係る葬儀葬祭用照明具の一実施例である法要灯の全体外観図。
【図２】本実施例の法要灯から本体部を取り外したときの正面図(a)、及び柱状発光部の概略構成図(b)。
【図３】本実施例の法要灯の本体部の正面図(a)、及び、筒体の内部を上から見たときの図(b)。
【図４】光拡散部の変形例の概略構成図。
【発明を実施するための形態】
【００１６】
本発明の一実施例に係る法要灯の構成を、図面を参照しながら説明する。  
図１は、本実施例の法要灯の正面図である。この法要灯は、本体部１と、該本体部１を支える基台２と、を備える。本体部１は、透明アクリル樹脂で構成される円筒状の筒体１１と、屋根１２と、各種の装飾部品を有している。また、基台２には、白色半透明のアクリル樹脂から成る円柱状のロッド（光拡散部）２１を含む柱状発光部が立設されている。
【００１７】
図２(a)は、法要灯から本体部１を取り外したときの正面図であり、図２(b)は、基台２上に立設される柱状発光部２０の説明図である。図２(b)に示すように、柱状発光部２０は、光拡散部としての白色半透明のロッド２１と、その基部に設けられたＬＥＤ電球２２と、を有する。ＬＥＤ電球２２は、上面が開口された箱体２３内に電球部２２Ａが収容され、口金部２２Ｂが箱体２３の下面から突出している。この口金部２２Ｂに対応するソケット２４が基台２の上面に設けられており、ソケット２４に口金部２２Ｂを取り付けることにより、柱状発光部２０が基台２に立設、固定される（図２(a)）。図示しない電気コードを経てソケット２４からＬＥＤ電球２２に電力が供給されることにより、ＬＥＤ電球２２が点灯し、その光が箱体２３の上面を通してロッド２１内に入射される。ロッド２１内に入射された光は、該ロッド２１内で吸収されつつ様々な方向に拡散され、ロッド２１の周囲に柔らかい光を放つ。
【００１８】
ＬＥＤ電球２２は、赤、青、黄色の光を発する計３種のＬＥＤチップを備えており（図示せず）、各ＬＥＤチップの光の強度が互いに異なる周期で自動的に変化することにより、ＬＥＤ電球２２が発する光の色及び強度が種々に変化する。本実施例で採用したＬＥＤ電球では、平均的に10〜20回/分という、平常時における人の呼吸周期に近い周期で光の色及び強度が変化する。この光の色及び強度の変化は、例えば蝋燭の火の揺らめきを表すために、適宜、ランダム性を持たせても良い。
法要灯のＬＥＤ電球用電源回路（図示せず）は、商用電源からの入力電流を交流から直流に変換するための整流回路、出力電圧を安定化するための電圧調節回路、ＬＥＤ電球２２の各色ＬＥＤチップに電流を流すための光源回路に大別され、基台内に収容されて、例えば互いに異なる周期で自動的に変化するよう各色のＬＥＤチップに流す電流を制御することで、ＬＥＤ電球２２が発する光の色及び強度が種々に変化する。
【００１９】
図３(a)は、本体部１の正面図であり、図３(b)は、筒体１１の内部を上からみたときの図である。筒体１１の底面には、円形の貫通孔１３が設けられており、基台２を本体部１に取り付けたとき、この貫通孔１３を通して柱状発光部２０が筒体１１の内部に収容される。
【００２０】
貫通孔１３から見て本体部１の正面側には、葉状の飾り１４が設けられており、その反対側（本体部１の背面側）には、屏風状に折曲された反射板１５が立設されている。飾り１４は、装飾部品としてだけでなく、柱状発光部２０を筒体１１の内部に収容したとき、箱体２３及びソケット２４が正面から見えないようにするためのものでもある。また、反射板１５は、柱状発光部２０を筒体１１の内部に収容したとき、柱状発光部２０が複数本に見えるようにするためのものである。なお、本実施例では反射板１５の反射面は３つであるが、更に多くの反射面を設けても良い。
図２に示す基台２と図３に示す本体部１を組み合わせることにより、図１に示す法要灯を得ることができる。
【００２１】
本実施例の法要灯で用いる光拡散部２１の変形例を図４に示す。光拡散部２１には、例えば透明又は半透明のロッドの内部に、多数の金属片３１を混入させたものを用いることができる（図４(a)）。図４(a)のロッドに入射された光は金属片により複雑に反射し、周囲に煌びやかな光を放つようになる。
【００２２】
光拡散部２１には、透明又は半透明のロッドに切れ込み３２が入ったものを用いることもできる（図４(b)）。図４(b)のロッドに入射された光は切れ込み３２において屈折、反射し、周囲に拡散される。この切れ込み３２を、所定の模様（図４(b)では炎を象っている）を形成するように設けることにより、光拡散部２１から放射される光に高い装飾効果を持たせることが可能となる。
【００２３】
光拡散部２１には、透明のロッド内にそれとは異なる屈折率を持つ透明の導光チューブ３３を有するものや、半透明のロッド内にそれとは異なる透明度を持つ半透明の導光チューブ３３を有するものを用いることもできる（図４(c)。導光チューブ３３に入射された光は、導光チューブ３３を通過しつつ漏出、拡散していく。そのため、導光チューブ３３の形状に沿った光の模様を見ることができる。図４(c)の例では、波状の導光チューブ３３を複数本束ねることにより、蝋燭の炎のような模様を形成している。このように、光拡散部２１から光を拡散させるだけでなく、様々な光の模様を光拡散部２１において形成させることにより、幻想的な雰囲気を創出することが可能となる。この他にも、光拡散部２１には、光拡散部本体（透明又は半透明のロッド）とは屈折率又は透明度の異なる様々な部材を埋め込むことができる。
【００２４】
なお、本発明に係る葬儀総裁用照明具においては当然ながら図面での形状に限定されるものではなく、本発明の趣旨を逸脱しない範囲で種々の変形が可能であることは当然である。
【００２５】
また、本実施例の法要灯において用いたＬＥＤ電球は１個であったが、もちろん、複数個のＬＥＤ電球を用いても良い。その場合、それぞれが異なる周期で光の色及び強度が変化するようにすることもできる。
【符号の説明】
【００２６】
１…本体部
１１…筒体
１２…屋根
１３…貫通孔
１４…飾り
１５…反射板
２…基台
２０…柱状発光部
２１…ロッド（光拡散部）
３１…金属片
３２…切り込み
３３…導光チューブ
２２…ＬＥＤ電球
２２Ａ…電球部
２２Ｂ…口金部
２３…箱体
２４…ソケット
【図３】
2014057661.tif 000003
【図４】
2014057661.tif 000004
【図１】
2014057661.tif 000005
【図２】
2014057661.tif 000006